【事件の表示】
　特願２００１−２９８６２１号「冷蔵庫」拒絶査定不服審判事件〔平成１５年４月９日出願公開、特開２００３−１０６７３４号〕について、次のとおり審決する。
【結　論】
　本件審判の請求は、成り立たない。
【理　由】
１．手続の経緯の概要 
　本件に係る出願（以下「本願」という。）は、平成１３年９月２７日の特許出願であって、平成２１年３月６日付けで拒絶査定がなされ（発送日：同年３月１０日）、これに対し、同年３月２７日に拒絶査定不服審判の請求がなされたものである。
　そして、平成２２年６月２９日付けで当審にて拒絶理由通知がなされ、同年７月３０日付けで意見書の提出がなされたものである。
　
２．本願発明
　本願の請求項５に係る発明は、平成１９年９月２７日付けの手続補正により補正された明細書又は図面の記載からみて、その特許請求の範囲の請求項５に記載された事項により特定される次のとおりのものである（以下「本願発明」という。）。
「冷却器と、この冷却器で冷却され送風機によって送風される冷気を庫内に導く冷気送風ダクトと、制御基板を収容する制御基板収容部とを、冷蔵庫本体背面の奥壁部に配設してなる冷蔵庫において、上記冷却器と上記制御基板収容部とを上記奥壁部の略水平方向に並設してなることを特徴とする冷蔵庫。」
　
３．先願発明 
　原査定の拒絶の理由で引用された、本願の出願の日前の他の特許出願であって、その出願後に出願公開がされた特願２０００−２６７０１７号（特開２００２−８１８５５号公報参照。以下「先願」という。）の願書に最初に添付した明細書又は図面（以下「先願明細書」という。）には、「冷蔵庫」に関して次の事項が図面とともに記載されている。 
a)「【発明の属する技術分野】本発明は、冷蔵庫本体の上下方向の中間部に野菜室を設けた構成の冷蔵庫に関する。」（段落【0001】）
b)「本発明は上記した事情に鑑みてなされたものであり、その目的は、冷蔵庫本体の上下方向の中間部に野菜室を設けた構成のものにおいて、制御回路基板と、冷蔵庫本体に配設された各電気部品とを接続するためのリード線を極力短くでき、また、
庫内の有効容積を減らすこともない冷蔵庫を提供する
c)「【発明の実施の形態】以下、本発明の一実施例について、図１ないし図６を参照して説明する。まず、図１ないし図４において、冷蔵庫本体２１は、上下方向に長い矩形状の断熱箱体２２から構成されている。この断熱箱体２２は、鋼板製の外箱２３と、プラスチック製の内箱２４と、これら外箱２３と内箱２４との間に発泡充填された発泡断熱材２５とから構成されている。断熱箱体２２の上下方向の中間部の下部に仕切り壁２６が設けられている。
【００１５】冷蔵庫本体２１の内部には、最上部に冷蔵室２７が、その下に野菜室２８が設けられ、その野菜室２８の下に製氷室２９と切替室３０とが左右に並べて設けられ、そして、最下部に冷凍室３１が設けられている。これら各室２７〜３１の前面には扉２７ａ〜３１ａ（ただし、製氷室２９の扉は図示されていない）が設けられている。各室２７〜３１のうち、最上部の冷蔵室２７の扉２７ａは、一側部が枢支された回動式であるが、他の室２８〜３１は、各扉２８ａ〜３１ａ及び容器が前後方向へ移動する引き出し式となっている。」（段落【0014】、【0015】）
d)「野菜室２８の背部における庫内側には、一方の側部、この場合図３及び図４に示すように正面から見て右側に寄せて、冷蔵温度ゾーンを冷却するための
冷蔵室用冷却器４０
冷蔵室用ファン４１
　そして、
野菜室２８の背部における
後壁２２ａにおいて
左側の庫外側には、前方に向けて窪む基板収容部４５が形成され
基板収容部４５内に制御回路基板４６が配設されている
　また、野菜室２８の背部における断熱箱体２２の後壁２２ａにおいて、前記制御回路基板４６と対向する庫内側には、リード線などを収納する収納部４７が設けられている。この収納部４７は、図５及び図６にも示すように、断熱箱体２２の内箱２４を補強するために冷蔵室用冷却器４０の背部に設けられたプラスチック製の
内箱補強板４８
　製氷室２９の上部には自動製氷機５２（図４参照）が配設され、また、冷蔵室２７の左下部の奥に給水装置５３が配設されていて、給水装置５３の前部に図示しない給水タンクがセットされるようになっている。給水タンクの水は、給水装置５３から給水ホース５４を通して自動製氷機５２の図示しない製氷皿に供給されるようになっている。また、冷蔵室２７の後部には
冷気を案内するダクト５５が設けられ
e)「さらに、
野菜室２８背部に冷蔵室用冷却器４０を
一方の側部に寄せて配設し
f)上記dの記載事項および【図2】、【図3】の図示内容によると、
冷蔵室用冷却器４０を、野菜室２８の背部における後壁２２ａの内箱補強板４８により形成される窪みに設け
冷蔵室用冷却器４０で冷却され、冷蔵室用ファン４１により送風される冷気を案内するダクト５５を、野菜室２８の背部における後壁２２ａの内箱補強板４８により形成される窪みに連続して形成される窪みに設け
　
　上記a〜eの記載事項、上記fの認定事項および図面の図示内容を総合勘案すると、先願明細書には、次の発明（以下「先願発明」という。）が記載されているものと認める。
「庫内の有効容積を減らすこともない冷蔵庫を提供することを目的として、　冷蔵室用冷却器４０を、野菜室２８の背部における後壁２２ａの内箱補強板４８により形成される窪みに設け、
　冷蔵室用冷却器４０で冷却され、冷蔵室用ファン４１により送風される冷気を案内するダクト５５を、野菜室２８の背部における後壁２２ａの内箱補強板４８により形成される窪みに連続して形成される窪みに設け、
　制御回路基板４６が配設されている基板収容部４５を、野菜室２８の背部における後壁２２ａに前方に向けて窪み形成した冷蔵庫において、
　冷蔵室用冷却器４０を野菜室２８の背部における後壁２２ａの一方の側部に寄せて配設し、野菜室２８の背部における後壁２２において、冷蔵室用冷却器４０とは反対側の左側の庫外側に基板収容部４５を形成した冷蔵庫。」
　
４．対比および当審の判断 
　本願発明と先願発明とを比較すると、先願発明の「冷蔵室用冷却器４０」は、その機能、構造および配置からみて、本願発明の「冷却器」に相当し、以下同様に、
「冷蔵室用ファン４１」は「送風機」に、
「ダクト」は「冷気送風ダクト」に、
「制御回路基板４６」は「制御基板」に、
「基板収容部４５」は「制御基板収容部」に、
「野菜室２８の背部における後壁２２ａの内箱補強板４８により形成される窪みに設け」ること、「野菜室２８の背部における後壁２２ａの内箱補強板４８により形成される窪みに連続して形成される窪みに設け」ること、「野菜室２８の背部における後壁２２ａに前方に向けて窪み形成」することは、「冷蔵庫本体背面の奥壁部に配設」することに、
「冷蔵室用冷却器４０を野菜室２８の背部における後壁２２ａの一方の側部に寄せて配設し、野菜室２８の背部における後壁２２において、冷蔵室用冷却器４０とは反対側の左側の庫外側に基板収容部４５を形成」することは、冷蔵室用冷却器４０と基板収容部４５とを野菜室２８の背部における後壁２２ａの一方側と他方側とに、同一高さ方向に並んで設けることであるから、「冷却器と制御基板収容部とを奥壁部の略水平方向に並設してなること」に、
　それぞれ相当する。
　したがって、本願発明の記載振りに倣ってまとめると、両者は、「冷却器と、この冷却器で冷却され送風機によって送風される冷気を庫内に導く冷気送風ダクトと、制御基板を収容する制御基板収容部とを、冷蔵庫本体背面の奥壁部に配設してなる冷蔵庫において、上記冷却器と上記制御基板収容部とを上記奥壁部の略水平方向に並設してなることを特徴とする冷蔵庫。」である点で一致し、両者の間に相違点は存在しない。
　ゆえに、本願発明は、先願発明と同一であり、しかも、本願発明の発明者が先願発明の発明者と同一の者であるとも、また、本願の出願の時にその出願人が上記先願の出願人と同一の者であるとも認められないので、本願発明は、特許法第２９条の２の規定により、特許を受けることができない。　
　
５．むすび
　以上のとおりであるから、本願は他の請求項について検討するまでもなく拒絶すべきものである。　　  
　
　よって、結論のとおり審決する。